(57)【要約】      （修正有）【課題】様々な設置の形態を自由に選択・変更できる汎用性を備え、仏壇として使用する時にも広い空間を必要としないコンパクトな仏壇を提供する。【解決手段】一方の側面に開口部を有する箱状の本体１２と、開口部の周辺に取り付けられ開口部をスライド式に開閉する前扉１６を備える。直角に屈曲した金属板であって、屈曲した角部からの長さが本体１２の奥行きよりも長い第一の取付面１８ａと、角部からの長さが本体１２の奥行きよりも短い第二の取付面１８ｂとを有するＬ字金具１８を備える。本体１２を据え置き設置するときは、本体１２の下面側にＬ字金具１８の第一の取付面１８ａが取り付けられ、第一の取付面１８ａが設置面に当接することによって本体１２を自立させ、本体１２を壁面設置するときは、本体１２の下面側にＬ字金具１８の第二の取付面１８ｂが取り付けられ、本体１２の背面側に位置した第一の取付面１８ａが壁面に固定される。【選択図】図３
0003150307.tif 000002
【実用新案登録請求の範囲】
【請求項１】
一方の側面に開口部を有する箱状の本体を備えた仏壇において、
前記開口部の周辺に取り付けられ前記開口部をスライド式に開閉する前扉と、
直角に屈曲した金属板であって、屈曲した角部からの長さが前記本体の奥行き寸法よりも長い第一の取付面と、角部からの長さが前記本体の奥行きよりも短い第二の取付面とを有するＬ字金具とを備え、
前記本体を据え置き設置するときは、前記本体の下面側に前記Ｌ字金具の第一の取付面が取り付けられ、前記第一の取付面が設置面に当接することによって前記本体を自立させ、
前記本体を壁面設置するときは、前記本体の下面側に前記Ｌ字金具の第二の取付面が取り付けられ、前記本体の背面側に位置した前記第一の取付面が壁面に固定されることを特徴とする仏壇。
【請求項２】
前記本体には、ワイヤ取付部が設けられ、前記本体を吊り下げ設置するときは、前記脚部材及びＬ字金具を取り外し、前記ワイヤ取付部にワイヤを掛けて吊り下げられることを特徴とする請求項１記載の仏壇。
【請求項３】
前記扉には、その開閉によりスイッチをオン・オフする接点開閉手段を備え、
前記本体の内側の面に設けられ、前記接点開閉手段により電源をオン・オフ可能な照明装置を有し、
前記扉が開くと前記接点開閉手段により前記照明装置がオンすることを特徴とする請求項１又は２記載の仏壇。
【請求項４】
前記接点開閉手段は磁石片と磁気検知型スイッチであり、
前記照明装置は前記磁気検知型スイッチによって電源がオン・オフされることを特徴とする請求項３記載の仏壇。
【請求項５】
前記照明装置には、電源部と前記磁気検知型スイッチとが一体に設けられ、前記本体の内側の面に着脱可能に取り付けられたことを特徴とする請求項４記載の仏壇。
【請求項６】
前記前扉は左右一対に設けられ、前記本体の開口部の上側辺及び下側辺にスライド自在に取り付けられて、前記開口部をスライド式に開閉し、
前記本体の底板の下面側には、着脱可能に形成された矩形の外形を有し前記本体の底板よりも外形が小さく平坦な上下面を有する脚部材を備え、
前記本体を据え置き設置するときは、前記本体の下面に前記脚部材を介して前記Ｌ字金具の第一の取付面が取り付けられ、
前記本体を壁面設置するときは、前記脚部材を取り外し、前記本体の下面側に前記Ｌ字金具の第二の取付面が取り付けられ、前記本体の背面側に配置された前記第一の取付面が壁面に固定されることを特徴とする請求項１記載の仏壇。
【考案の詳細な説明】
【技術分野】
【０００１】
この考案は、室内の棚等にも設置が可能な小型の仏壇に関する。
【背景技術】
【０００２】
近年、アパートやマンション等の手狭な居住空間においても、場所をとらずコンパクトに設置できる仏壇が求められるようになっている。例えば、特許文献１に開示されているように、壁埋め込み又は壁掛けの設置形態に対応した薄型の仏壇であって、仏壇本体が外側本体部と内側本体部とを前後方向にスライド可能に連結した多層構造を成し、前面開口部の扉が上下スライド又は左右スライド方式に設けられた仏壇がある。また、特許文献２に開示されているように、本体内側に照明ユニットが取り付けられ、小型で持ち運び可能な据え置き型のペット用仏壇も提案されている。
【先行技術文献】
【特許文献】
【０００３】
【特許文献１】特開２００４−２９０６３８号公報
【特許文献２】実用新案登録第３１２４９４９号公報
【考案の概要】
【考案が解決しようとする課題】
【０００４】
しかし、特許文献１の仏壇は、いわゆる壁面設置に対応した形態を備えているが、床やテーブル等の上に設置する据え置き設置や、天井や所定のレール等から吊り下げる吊り下げ設置に対応したものではなかった。また、特許文献２のペット用仏壇も同様に、据え置き設置以外の設置に対応したものではなかった。従って、引越しや部屋の模様替えによって居住空間が変わったときに、仏壇の設置形態を自由に選択・変更することができず、仏壇の設置場所や使用スペースを確保するのに苦労するという問題があった。
【０００５】
本考案は、上記背景技術に鑑みて成されたもので、様々な設置の形態を自由に選択・変更できる汎用性を備え、仏壇として使用する時にも広い空間を必要としないコンパクトな仏壇を提供することを目的とする。
【課題を解決するための手段】
【０００６】
本考案は、一方の側面に開口部を有する箱状の本体を備えた仏壇において、前記開口部の周辺に取り付けられ前記開口部をスライド式に開閉する前扉と、直角に屈曲した金属板であって、屈曲した角部からの長さが前記本体の奥行き寸法よりも長い第一の取付面と、角部からの長さが前記本体の奥行きよりも短い第二の取付面とを有するＬ字金具とを備え、前記本体を据え置き設置するときは、前記本体の下面側に前記Ｌ字金具の第一の取付面が取り付けられ、前記第一の取付面が設置面に当接することによって前記本体を自立させ、前記本体を壁面設置するときは、前記本体の下面側に前記Ｌ字金具の第二の取付面が取り付けられ、前記本体の背面側に位置した前記第一の取付面が壁面に固定される仏壇である。
【０００７】
前記本体には、ワイヤ取付部が設けられ、前記本体を吊り下げ設置するときは、前記脚部材及びＬ字金具を取り外し、前記ワイヤ取付部にワイヤを掛けて吊り下げられるものである。
【０００８】
さらに、前記扉には、その開閉によりスイッチをオン・オフする接点開閉手段を備え、前記本体の内側の面に設けられ、前記接点開閉手段により電源をオン・オフ可能な照明装置を有し、前記扉が開くと前記接点開閉手段により前記照明装置がオンするものでも良い。
【０００９】
前記接点開閉手段は磁石片と磁気検知型スイッチであり、、前記照明装置は磁気検知型スイッチによって電源がオン・オフされるものである。さらに、前記照明装置は、電源部と前記磁気検知型スイッチとが一体に設けられ、前記本体の内側の面に着脱可能に取り付けられていてものである。
【００１０】
また、前記前扉は左右一対に設けられ、前記本体の開口部の上側辺及び下側辺にスライド自在に取り付けられて、前記開口部をスライド式に開閉し、前記本体の底板の下面側には、着脱可能に形成された矩形の外形を有し前記本体の底板よりも外形が小さく平坦な上下面を有する脚部材を備え、前記本体を据え置き設置するときは、前記本体の下面に前記脚部材を介して前記Ｌ字金具の第一の取付面が取り付けられ、前記本体を壁面設置するときは、前記脚部材を取り外し、前記本体の下面側に前記Ｌ字金具の第二の取付面が取り付けられ、前記本体の背面側に配置された前記第一の取付面が壁面に固定されるものである。
【考案の効果】
【００１１】
本考案の仏壇は、棚などの上に据え置き設置されるときは、Ｌ字金具の２つの取付面のうち広い方の第一の取付面がテーブル上面に当接するので、本体をバランスよく支持することができる。一方、壁面設置されるときは、Ｌ字金具うち狭い方の第二の取付面が本体の底板下面に配置されるので、Ｌ字金具が本体の前扉より前に突出しない。さらに、前扉は左右にスライド式に開閉するため、仏壇として使用する時でも、本体の前方に広い空間を確保し、コンパクトに使用することができる。
【００１２】
また、本体にワイヤ取付部を設けることによって、天井などからワイヤで吊り下げる吊り下げ設置にも簡単に対応することができる。
【００１３】
また、前扉に取り付けた磁石片の磁力を検知して前扉の開閉状態を判定する磁気検知型スイッチ等の接点開閉手段を備え、前扉が開いたとき、すなわち仏壇の使用時のみ自動的に照明装置の電源をオンする構成とすれば、仏壇未使用時の照明装置の電力消費を抑え、省エネルギー化に寄与することができる。さらに、電池等の電源部と磁気検知型スイッチ等を一体に内蔵し、照明装置を本体の内面に着脱可能に設けることによって、非常時の携帯用照明としても使用することができる。
【図面の簡単な説明】
【００１４】
【図１】この考案の仏壇の一実施形態の据え置き設置用の組立構造を示す斜視図（ａ）と正面図（ｂ）である。
【図２】図１の本体、脚部材及びＬ字金具の取付構造を説明する斜視図である。
【図３】図１の前扉が開いた状態を示す側面図である。
【図４】図１の前扉が開いた状態を示す正面図である。
【図５】図１の前扉が開いた状態を示す平面図である。
【図６】この実施形態の壁面設置用の組立構造を示す部分断面図（ａ）（ｂ）である。
【図７】この実施形態の吊り下げ設置用の組立構造を示す部分断面図である。
【考案を実施するための形態】
【００１５】
以下、この考案の一実施形態の仏壇１０について、図に基づいて説明する。まず、仏壇１０を据え置き設置用に組み立てた構成について、図１〜図５に基づいて説明する。仏壇１０は、一方の側面に開口部１２ａを有した箱状の本体１２と、開口部１２ａの端縁外側に上下左右方向に延設された鍔部１４と、鍔部１４に係合して取り付けられ開口部１２ａを開閉する左右一対の前扉１６を備えている。さらに、本体１２を下方から支持して自立させるＬ字金具１８を備えている。
【００１６】
本体１２の底板には、図２に示すように、略矩形の板である脚部材２０を挟んでＬ字金具１８が取り付けられている。脚部材２０は、底板に収まる大きさの矩形の板材で、所定の厚みを有している。また、Ｌ字金具１８は、脚部材２０とほぼ等しい幅寸法を有する矩形の薄い金属板を直角に折り曲げたもので、面積の大きい第一の取付面１８ａは、その角部から先端までの長さが本体１２の奥行き寸法よりも長い。一方、面積が小さい方の第二の取付面１８ｂは、角部から先端までの長さが本体１４の奥行き寸法よりも短い。そして、脚部材２０は本体１２の底板のほぼ中央に配置され、Ｌ字金具１８は、第一の取付面１８ａが本体１２の底板と平行に、且つ、第二の取付面１８ｂが本体１２の背板に当接する位置に配置され、ネジ２２を用いて一体に締め付け固定されている。なお、脚部材２０は十分な厚み寸法を備えているので、本体１２にＬ字金具１８を締め付け固定したときに、第一の取付面１８ａの先端部分が本体１２や前扉１６に接触することはない。また、第一の取付面１８ａの角部から先端までの長さは本体１２の奥行き寸法よりも長いので、本体１２は安定に自立する。
【００１７】
仏壇１０のさらに詳細な構成を、前扉１０が開いた状態を示す図３〜図５に基づいて説明する。本体１２に設けられた鍔部１４は、図３に示すように、開口部１２ａの上辺端縁に上向きに延設された上鍔部１４ａと、下辺端縁に下向きに延設された下鍔部１４ｂと、側辺端縁に外向きに延設された一対の側鍔部１４ｃとで成る。
【００１８】
前扉１６の背面側には、図３に示すように、下面に溝加工がされた上鍔係合部１６ａが上側端縁に沿って突設され、また、上面に溝加工された下鍔係合部１６ｂが下側端縁に沿って突設されている。そして、上鍔係合部１６ａと下鍔係合部１６ｂは、本体１２の上鍔部１４ａと下鍔部１４ｂに、各々ゆとりをもって係合している。
【００１９】
また、前扉１６は、スライドレール２４を介して本体１２に取り付けられている。スライドレール２４は、例えば、２枚の細長いレール金具をローラ部材を挟んで一体に組み付け、レール金具同士が長さ方向に互いに摩擦なくにスライド可能に構成されたものが好ましい。そして、スライドレール２４は、図４、図５に示すように、一方のレール金具が上鍔係合部１６ａの先端下面に取り付けられ、他方のレール金具が本体１２の上鍔部１４ａ横の上面に取り付けられ、前扉１６は左右方向に滑らかに移動して本体１２の開口部１２ａを開放する。このとき、上鍔部１４ａと下鍔部１４ｂは、上鍔係合部１６ａと下鍔係合部１６ｂにゆとりをもって係合し、前扉の前後方向のずれを制限するガイドの働きをする。これにより、図１（ａ）に示す左右一対の前扉１６が閉じられた状態から、図１（ｂ）に示すように、前扉１６が左右に摺動して開口部１２ａを開放することができる。
【００２０】
左右一対の前扉１６の木口面には、片側の上下２カ所に図示しない磁石が埋め込まれ、対向する前扉１６の木口面には、磁石と吸着し合う磁性体金属が埋め込まれている。また、図４に示すように、正面から見て内側上方の角部付近に磁石片２６が各々埋め込まれている。磁石片２６は、後述する照明装置４０の電源をオンオフする。
【００２１】
本体１２の左右一対の側鍔部１４ｃには、図３、図５に示すように、その背面側の上方位置にワイヤ取付部であるワイヤフック金具２８が各々設けられ、ワイヤの端を引っ掛けることができるようになっている。
【００２２】
本体１２の内側には、図３、図４に示すように、本体１２の背板から内側向けて略水平に突設した祭壇３０が設けられ、さらに、リン３２やリン棒入れ３４が載置された引出台３６が、本体１２の底板上面を前後にスライド移動可能に設けられている。
【００２３】
また、本体１２の天板下面には取付磁石３８が貼り付けられ、その下面側に、鉄などの強磁性材料の金属筐体を備えた照明装置４０が、取付磁石３８の吸着力を利用して着脱可能に取り付けられている。照明装置３６は、例えば発光体であるＬＥＤ及びその制御回路で構成され、さらに図示しない磁気検知型スイッチと電源部である電池とが一体に組み込まれている。磁気検知型スイッチは、前扉１６の磁石片２６の磁気を検知し、その磁気検出値が基準値よりも小さいときに照明装置４０の電源をオンするよう設定されている。従って、前扉１６を開けると、磁石片２６が磁気検知型スイッチから遠ざかるので、磁気検出値は小さくなり、磁気検知型スイッチは照明装置４０の電源をオンする。一方、前扉１６を閉じると、磁石片２６が磁気検知型スイッチに近づくので、磁気検出値は大きくなり、磁気検知型スイッチは照明装置４０の電源をオフする。
【００２４】
次に、据え置き型用に組み立てた仏壇１０を、壁面設置用に組み立て直した構成について、図６に基づいて説明する。まず、本体１２からＬ字金具１８と脚部材２０を取り外す。そして、図６（ａ）に示すように、取り外したＬ字金具１８を、壁４２の背面側に間柱や胴縁等の受け材４２ａが位置している壁面部分４４に取り付ける。このとき、Ｌ字金具１８の第一の取付面１８ａを壁面部分４４に当接させ、第二の取付面１８ｂを壁面部分４４から水平に突設させて配置し、第一の取付面１８ａにネジ４６を通して壁面部分４４に締め付け固定する。その後、第二の取付面１８ｂ上に本体１２を載置し、第二の取付面１８ｂの下面側からネジ２２を通して本体１２を締め付け固定する。このとき、Ｌ字金具１８の角部から第二の取付面１８ｂ先端までの長さは本体１２の奥行き寸法よりも短いので、第二の取付面１８ｂが前壁１６より前方に突出することなく、全体としてコンパクトに取り付けることができる。なお、前扉１６の下端側に装飾具が取り付けられたり、デザイン性のある独特の形状に形成されている等の理由で前扉１６と第二の取付面１８ｂの先端が接触する場合は、本体１２と第二の取付面１８ｂとの間に脚部材２０を挟んで取り付けてもよい。
【００２５】
次に、据え置き型用に組み立てた仏壇１０を吊り下げ設置用に組み立て直した構成について、図７に基づいて説明する。まず、本体１２からＬ字金具１８と脚部材２０を取り外す。そして、本体１２にワイヤフック金具２８にワイヤ５０を掛けて、天井４８の壁４２近傍に設けられたピクチャーレール等の吊り下げ具５２に吊り下げる。
【００２６】
以上説明したように、仏壇１０は、据え置き設置されるときは、Ｌ字金具１８の２つの取付面１８ａ，１８ｂうち面積の広い第一の取付面１８ａが床面に当接するので、本体１２をバランスよく支持することができる。一方、壁面設置されるときは、面積の狭い第二の取付面１８ｂが本体１２の底板下面に配置され、本体１２の前扉１６より前に突出しない。さらに、前扉１６が左右にスライド式に開閉するため使用時でも本体１２の前方に大きなスペースを必要とせず、コンパクトに設置及び使用をすることができる。
【００２７】
また、本体にワイヤフック金具２８が設けられているので、天井４８からの吊り下げ設置にも簡単に対応することができる。
【００２８】
また、前扉１６に取り付けた磁石片２６が発する磁力を検知して前扉の開閉状態を判定する磁気検知型スイッチを備え、前扉１６が開いたとき、すなわち仏壇１０の使用時のみ自動的に照明装置３６の電源をオンする構成のため、仏壇１０の未使用時の照明装置３６の電力消費を抑え、省エネルギー化に寄与することができる。さらに、電池等の電源部と磁気検知型スイッチとを一体に内蔵し、本体１２の内面に着脱可能な構造に照明装置３６が構成されているので、非常時の携帯用照明としても使用することができる。
【００２９】
なお、この考案の仏壇は、上記実施形態に限定されるものではなく、例えば、本体の底板面積が大きい場合などは、複数個の脚部材を設けてもよい。また、脚部材は、木材ブロック、樹脂ブロック、金属ブロックの他、金属板を折り曲げた中空のフレーム体であってもよく、所定の強度が確保されれば、材質は特に限定しない。
【００３０】
また、Ｌ字金具は、本体の底板や壁面に当接可能な２つの取付面部分が互いに直角に形成されていればよく、矩形の板を折り曲げた形状に、装飾性を高めるために複雑な構造の部分が付加された形状であってもよい。
【００３１】
また、ワイヤフック金具は、本体の大きさや重量等に応じて、数や取り付け場所は自由に設定することができる。また、ワイヤフック金具に代えて、同様の機能を果たすワイヤ取付部を本体に一体に形成してもよい。
【００３２】
さらに、照明装置は、本体に固定的に取り付けてコンセントから商用電源を供給する構成とし、電池が消耗する度に交換するという手間をなくしてもよい。
【符号の説明】
【００３３】
１０  仏壇
１２  本体
１２ａ  開口部
１４  鍔部
１４ａ  上鍔部
１４ｂ  下鍔部
１４ｃ  側鍔部
１６  前扉
１６ａ  上鍔係合部
１６ｂ  下鍔係合部
１８  Ｌ字金具
１８ａ  第一の取付面
１８ｂ  第ニの取付面
２０  脚部材
２６  磁石片
２８  ワイヤフック金具
４０  照明装置
【図１】
0003150307.tif 000003
【図２】
0003150307.tif 000004
【図３】
0003150307.tif 000005
【図４】
0003150307.tif 000006
【図５】
0003150307.tif 000007
【図６】
0003150307.tif 000008
【図７】
0003150307.tif 000009